(57)【要約】【課題】使用者が鏡を見やすく、キャビネット内部の収納物を取り出しやすく、使用状況に対応して使い勝手が良いミラーキャビネットであって、その収納部を補強するとともに収納部を壁により強固に取り付けることのできる台座を実現する。【解決手段】収納部２を鏡扉３で覆い、鏡扉３が開閉可能に構成されたミラーキャビネット１において、鏡扉３は、収納部２に台座１１を介して取り付けられたリンク部材８と、リンク部材８に取り付けられた枠部材５と、枠部材５にヒンジ６を介して取り付けられた鏡７と、から成り、リンク部材５を介して枠部材５が回動することにより、鏡７が収納部２の手前側下方に移動自在に形成されており、台座１１は固定枠１４の左右折返片１６に直交する固定片１８を設け、固定片１８とともに収納部２を洗面室等の壁に固定可能とする。【選択図】図２
2005279021.tif 000002
【特許請求の範囲】
【請求項１】
収納部を鏡扉で覆い、鏡扉が開閉可能に構成されたミラーキャビネットにおいて、
鏡扉は、収納部の前面部に固定される固定枠を有する台座と、台座に取り付けられたリンク部材と、リンク部材に取り付けられた枠部材と、枠部材にヒンジを介して取り付けられた鏡と、から成り、リンク部材を介して枠部材が回動することにより、鏡が収納部の手前側下方に移動自在に形成されていることを特徴とするミラーキャビネット。
【請求項２】
収納部を、鏡扉と鏡扉の側方に隣接する側方鏡扉とで覆い、鏡扉と側方鏡扉とが開閉可能に構成されたミラーキャビネットにおいて、
鏡扉は、収納部の前面部に固定される固定枠を有する台座と、台座に取り付けられたリンク部材と、リンク部材に取り付けられた枠部材と、枠部材にヒンジを介して取り付けられた鏡と、から成り、リンク部材を介して枠部材が回動することにより、鏡が収納部の手前側下方に移動自在に形成されていることを特徴とするミラーキャビネット。
【請求項３】
請求項１または２記載のミラーキャビネットにおいて、前記固定枠は背面方向に折り返される折返片を備え、該折返片が前記収納部の内面に固定されていることを特徴とするミラーキャビネット。
【請求項４】
請求項１〜３のいずれかに記載のミラーキャビネットにおいて、前記固定枠は、該固定枠の内側に向かう固定片を備えていることを特徴とするミラーキャビネット。
【発明の詳細な説明】
【技術分野】
【０００１】
この発明は、浴室や洗面化粧台等に設けられる、鏡扉が取り付けられたミラーキャビネットに関する。
【背景技術】
【０００２】
従来からの洗面化粧台では、洗面台（水栓）が設置され、この洗面台の例えば正面向こう側に、鏡扉が取り付けられたキャビネット（以下、ミラーキャビネットという）が設置されていることが多い。また、ミラーキャビネットには、例えば、１枚の鏡扉が取り付けられているタイプのものや、複数の鏡扉が取り付けられているタイプ、具体的には、中央の鏡扉とその片側又は両側に隣接して側方鏡扉が取り付けられているタイプのものがある。
【０００３】
複数の鏡扉が取り付けられているタイプのミラーキャビネットでは、側方鏡扉を開けた状態において、この側方鏡扉と中央の鏡扉とで便利な合わせ鏡となる場合が多い。そのため、側方鏡扉は、中央の鏡扉側へ開閉する内開きとなっている。
【０００４】
上記のような洗面化粧台を用いて、使用者が鏡扉の鏡を見ながらひげ剃り又は化粧等を行う場合、通常、鏡扉の位置に合わせて立った姿勢で作業を行っている。
【０００５】
また、上記のような洗面化粧台では、ミラーキャビネットの鏡扉の鏡と使用者との間に洗面台が設置されているため、使用者は、顔の細部等を見たい場合には、鏡に近づくために、腰を屈めた姿勢を取ることも多い。
【０００６】
ところで、ミラーキャビネットに関し、下記の特許文献１には、ミラーキャビネットに形成された収納棚に、該収納棚内の収納空間を開閉し得る前方側へ引き出し可能な扉を設けたことを特徴とするミラーキャビネットが開示されている（特許文献１参照）。
【特許文献１】実開平３−７３３８２号公報（第１頁、第１図）
【発明の開示】
【発明が解決しようとする課題】
【０００７】
上記従来の洗面化粧台では、ミラーキャビネットに設けられた鏡扉の鏡の位置は、使用者が立った状態に合わせて設置され固定されていることが多いため、座った状態では、顔の位置よりも、鏡の位置が高すぎる。このため、使用者が洗面化粧台の前で椅子に座ってゆっくり化粧等の作業をすることが難しく、使い勝手が悪い。
【０００８】
また、従来の洗面化粧台では、ミラーキャビネットに取り付けられた鏡扉の鏡と使用者との間に洗面台が設置されているため、使用者から鏡までの距離が遠い。したがって、使用者が直立したままでは顔の細部等が見づらく、顔の細部等を見たい場合には鏡に近づく必要があり、そのために腰を屈めなければならない等の苦痛を伴う。
【０００９】
さらには、複数の鏡扉が取り付けられているタイプのミラーキャビネットでは、側方鏡扉と中央の鏡扉とで合わせ鏡となる機能を備えるように、側方鏡扉が内開きとなっていることが多い。このため、使用者は、側方鏡扉の奥に配置されたキャビネット内部の収納部から収納物を取り出す場合には、内開きとなっている側方鏡扉を中央の鏡扉側へ開けて、側方から手を伸ばす等してキャビネット内部の収納物を取り出さなければならず、収納物を取り出しにくい。
【００１０】
ところで、このような課題に鑑みて、すでに本願出願人は、ミラーキャビネットの収納部正面に設けた鏡扉を、リンク部材を介して収納部の手前側下方に移動自在にするミラーキャビネットをすでに開発している（本出願人の先行発明に係る特願２００３−４２６００８号参照）。
【００１１】
この先行発明のミラーキャビネットは、収納部を補強する台座を設け、この台座を介して収納部の側面内側にリンク部材を回動可能に取付ける構成を明示している。この先行発明の台座は、長細い棒状の板片から成り、収納部の側部内面に固定するものであった。
【００１２】
しかしながら、先行発明の台座は、このように、単に長細い棒状の板片から成り、収納部の側部内面に固定するものにすぎないので、収納部の側部内面を部分的に補強する機能を有するが、開口部を有する収納部全体を補強するためには十分とは言えない。従って、本発明の課題は、収納部をより十分に補強することのできる台座を実現することである。
【００１３】
ところで、先行発明のミラーキャビネットは、鏡扉が収納部に対してリンク部材を介して昇降自在に設けられているので、収納部には鏡扉の自重に加えて昇降に伴う外力が加わる。よって、上記収納部自体の補強に加えて、キャビネットを洗面室等の壁により強固に取付可能な構造に改良することが望ましい。
【００１４】
本発明は、上記に鑑み、使用者が鏡を見やすく、キャビネットの収納部から収納物を取り出しやすく、使用状況に対応して使い勝手が良いミラーキャビネットにおいて、鏡扉を前面において昇降自在に取り付けたキャビネットの収納部をより補強し、さらに収納部を洗面室等の壁により強固に取り付けることのできる台座を実現することを課題とするものである。
【課題を解決するための手段】
【００１５】
本発明は上記課題を解決するために、収納部を鏡扉で覆い、鏡扉が開閉可能に構成されたミラーキャビネットにおいて、鏡扉は、収納部の前面部に固定される固定枠を有する台座と、台座に取り付けられたリンク部材と、リンク部材に取り付けられた枠部材と、枠部材にヒンジを介して取り付けられた鏡と、から成り、リンク部材を介して枠部材が回動することにより、鏡が収納部の手前側下方に移動自在に形成されていることを特徴とするミラーキャビネットを提供する。
【００１６】
また本発明は、収納部を、鏡扉と鏡扉の側方に隣接する側方鏡扉とで覆い、鏡扉と側方鏡扉とが開閉可能に構成されたミラーキャビネットにおいて、鏡扉は、収納部の前面部に固定される固定枠を有する台座と、台座に取り付けられたリンク部材と、リンク部材に取り付けられた枠部材と、枠部材にヒンジを介して取り付けられた鏡と、から成り、リンク部材を介して枠部材が回動することにより、鏡が収納部の手前側下方に移動自在に形成されていることを特徴とするミラーキャビネットを提供する。
【００１７】
前記ミラーキャビネットでは、前記固定枠は背面方向に折り返される折返片を備え、該折返片が前記収納部の内面に固定されていることが好ましい。
【００１８】
前記ミラーキャビネットでは、前記固定枠は、該固定枠の内側に向かう固定片を備えていることが好ましい。
【発明の効果】
【００１９】
以上の構成から成る本発明に係るミラーキャビネットによると、使用者が鏡を見やすく、キャビネット内部の収納物を取り出しやすく、使用状況に対応して使い勝手が良いミラーキャビネットを実現することができる。さらに、本発明は、鏡扉を前面において昇降自在に取り付けたキャビネットの収納部を補強することができるとともに、さらに収納部を洗面室等の壁により強固に取り付けることもできる。
【発明を実施するための最良の形態】
【００２０】
本発明に係るミラーキャビネットを実施するための最良の形態を実施例に基づいて図面を参照して説明する。
【実施例１】
【００２１】
図１（ａ）、（ｂ）は、それぞれ本発明の実施例１に係るミラーキャビネット１の正面図と、側面図である。ミラーキャビネット１は、収納部（キャビネット）２と、収納部２を覆い開閉可能に構成された鏡扉３と、鏡扉３の上部に設置された照明器具４とを備える。
【００２２】
図２に、鏡扉３を開いた状態におけるミラーキャビネット１の模式的な斜視図を示す。ミラーキャビネット１の収納部２は、開口部２ａを有する箱状に形成されている。そして、鏡扉３は、収納部２に固定される固定枠１４を有する台座１１に取り付けられたリンク部材８と、リンク部材８に取り付けられた枠部材５と、枠部材５にヒンジ６を介して取り付けられた鏡７と、から成る。
【００２３】
本発明の特徴とする構成は、台座１１にある。前記本発明の課題の項で説明したとおり先行発明の先行発明の台座は単に長細い棒状の板片から成り、収納部の側部内面に固定した収納部の側部内面を部分的に補強する構成であったが、本発明の台座１１は、枠状の台座とすることで、開口部２ａを有する収納部全体を効果的に補強可能とするものである。さらに、本発明の台座１１は、ネジ２３を収納部２の背面壁１９（突当り壁）を貫通させて取付壁１５に強固に固定可能な構造とするものである。
【００２４】
図３は、本発明の実施例１の台座１１を説明する図であり、図３（ａ）は台座１１の正面図（右下の図）、平面図（右上の図）、側面図（左側の図）であり、図３（ｂ）は台座１１の斜視図である。台座１１は、固定枠１４を有する。この固定枠１４は、左右側部１４ａと上下部１４ｂとから一体又は別体で矩形状に形成されている。
【００２５】
左右側部１４ａは、取付壁１５の方向（背面方向）に折り返されている左右折返片１６が形成されている。この折返片１６の上下方向の中央部（折返片中央部１６’）は若干幅広に形成されている。下部１４ｂにはその下端から洗面室等の取付壁１５の方向（背面方向）に折り返されている下端折返片１７が形成されている。
【００２６】
本発明の特徴の一つは、図３（ａ）、（ｂ）に示すように、左右の折返片中央部１６’から、固定枠１４の枠内中心に向かって互いに向き合う方向に伸びる左右の固定片１８が形成されている構成である。換言すれば、固定枠１４の左右折返片中央部１６’から直交する方向に突出する左右の固定片１８を備えている構成である。
【００２７】
図４（ａ）は、台座１１を収納部２に装着して固定した状態を示す。即ち、固定枠１４の左右側部１４ａと上下部１４ｂが収納部２の前面に当接し、左右折返片１６が収納部２の左右側内面に当接し、固定枠１４の下端折返片１７に収納部２の下部が当接し、左右の固定片１８が収納部２の背面壁１９に当接するような状態に装着して、固定枠１４を収納部２の前面部にネジ止めして固定する。
【００２８】
特に、左右の固定片１８については、収納部２の背面壁１９とともに、洗面室等の壁１５にネジ止めして固定される。次の段落以降で詳述するが、本発明は、鏡扉３が昇降機能を有し、鏡扉３を昇降するためのリンク部材８を台座１１に取り付ける。その結果、キャビネット１の収納部２には鏡扉３の自重に加えて昇降に伴う外力が加わる。
【００２９】
しかし、本発明では、左右の固定片１８により、キャビネット１の収納部２を台座１１とともに洗面室等の壁１５にネジ等で固定するから、収納部２を補強するとともに、収納部２の洗面室等の壁１５への取付強度も向上させることができる。
【００３０】
さらに、本発明の別の特徴として、鏡扉３が昇降機能を有するが、以下に、このための昇降機構を詳しく説明する。図４（ｂ）、（ｃ）は、台座１１と、台座１１に取り付けられたリンク部材８と、このリンク部材８に取り付けられた鏡扉３の枠部材５との関係的構成を示す正面図及び側面図である。さらに、図５に、枠部材５と収納部２との間にリンク部材８が取り付けられて成る鏡扉３の昇降機構の構造を示す。
【００３１】
図４（ｂ）、図５に示すように、本実施例では、左右２本づつのリンク部材８夫々の一端８ａが、収納部２の左右両側内面２ｂに固定された台座１１の折返片１６に、例えばリベット９’により回動可能に取り付けられている。
【００３２】
一方、枠部材５は、収納部２に形成された開口部２ａの周縁部２ｃに略一致するように矩形状に形成されている。この枠部材５に、リンク部材８夫々の他端８ｂが、例えばリベット９により回動可能に取り付けられている。また、図２、図４（ｂ）に示されるように、左右のリンク部材８を繋ぐように、補強部材１２が設けられている。この補強部材１２により、リンク部材８、ひいては鏡扉３自体が補強され、より安定した状態で移動できるように構成されている。リンク部材８を介して枠部材５は、図５の矢印ｇで示されるように、収納部２の手前側下方に移動自在に回動することができる。
【００３３】
左右２本づつあるリンク部材８のうち、上方のリンク部材８の一端８ａは、左右折返片１６の折返片中央部１６’に回動可能に取り付けられているが、この回動可能に取り付けられている部分（枢着部）には、リンク部材８と折返片中央部１６’との間に渦巻きバネ２０が取り付けられている。この渦巻バネ２０の弾力により、収納部２の手前側下方に移動させた状態にある鏡扉３を、再び収納部２の方へ持ち上げて元の位置まで戻すのに必要な力を軽減させることができる。
【００３４】
また、左右２本づつあるリンク部材８のうち下方のリンク部材８の一端８ａが左右折返片１６に回動可能に取り付けられている部分（枢着部）に、鏡扉３にかかる力（例えば自重）による回転力を一部吸収するダンパ１０が取り付けられている。このダンパ１０により、リンク部材８が回動して鏡扉３が収納部２の手前側下方に移動して来る（降りて来る）際に、鏡扉３にかかる力（例えば自重）が吸収されるので、鏡扉３を収納部２の手前側下方にゆっくり移動させることができる。
【００３５】
固定枠１４には、図５に示すように、リンク部材８を位置決めするためのストッパ２１が設けられている。このストッパ２１は、リンク部材８に当接して、昇降動作をする枠部材５を前方に引き出した際に、最下位の位置で停止させることができる。
【００３６】
特に、図５に示すように、リンク部材８を略くの字形状に形成することで、リンク部材８を、より水平に近い角度でストッパ２１に当接することができる。これにより、偏った（局所的な）力がストッパ２１にかからず、ストッパ２１自体の摩耗や損傷を最小限にすることができ、ストッパ２１の耐久性を向上させることができる。
【００３７】
図２に示すように、枠部材５には、ヒンジ６を介して鏡７が開閉可能に取り付けられている。枠部材５が回動することにより、枠部材５に取り付けられている鏡７も枠部材５と共に、収納部２の手前側下方に移動自在に回動することができる。なお、鏡７は、鏡扉３が収納部２の開口部２ａを覆った状態においても、枠部材５の回動に伴い収納部２の手前側下方に移動した状態においても、同様に、ヒンジ６を介して開閉することができる。
【００３８】
図６（ａ）は、鏡扉３が収納部２の手前側下方に移動している状態を示すミラーキャビネット１の側面図であり、図６（ｂ）は、鏡扉３の枠部材５を収納部２にロックするための機構を示す図である。図２、図６（ａ）に示すように、鏡扉３の上部、より具体的には、枠部材５の上部５ａには、照明器具４が一体的に形成されている。このため、枠部材５の回動に伴い、照明器具４も枠部材５及び鏡７と共に回動する。このように、鏡扉３は、収納部２の手前側下方に移動自在に回動する昇降機能を有する。
【００３９】
ミラーキャビネット１では、昇降機能を有する鏡扉３の枠部材５を収納部２にロックする機構が設けられている。具体的には、図６（ｂ）に枠部材５の側面図及び収納部２の一部断面図を示すが、枠部材５にレバーラッチ１３が設けられていると共に、収納部２のレバーラッチ１３に対応する位置に凹部１３ａが形成されている。
【００４０】
レバーラッチ１３の係合部材１３ｅは、例えばバネ１３ｂにより、反時計針回りに付勢されている。係合部材１３ｅの下方には取っ手部１３ｄが設けられている。収納部２に形成された凹部１３ａには、例えばＬ字型金具１３ｃが取り付けられており、係合部材１３ｅと係合することができる。
【００４１】
（変形例）
図９に本発明の実施例１の台座の変形例である台座は２２を説明する図であり、図９（ａ）は台座２２の正面図（右下の図）、平面図（右上の図）、側面図（左側の図）であり、図９（ｂ）は台座２２の斜視図であり、図９（ｃ）は収納部２に台座２２を固定した状態を示す斜視図である。この変形例の台座２２は、実施例１の台座１１とほぼ同じ構成であるので、各部は実施例１と同じ符号を付け、その詳細な説明はここでは省略する。
【００４２】
この変形例の台座２２が実施例１の台座１１と異なる構成は、実施例１の台座が有する固定片１８が形成されていない点である。要するに、この変形例の台座２２は、図９（ｃ）に示すように、収納部２の開口部２ａに沿って固定することにより収納部２の全体を補強するものである。
【００４３】
（作用）
以上の構成から成る実施例１の作用を、以下に説明する。図６（ａ）に示すように、枠部材５、鏡７及び照明器具４は、通常は、点線に示すような収納部２に隣接する位置にある。この位置では、図６（ｂ）に示すように、係合部材１３ｅがＬ字型金具１３ｃに係合することにより、枠部材５が収納部２にロックされている。従ってこの状態では、鏡扉３を昇降させずに鏡７のみを開閉し収納部２にアクセスする際に、枠部材５が誤動作して収納部２の手前側下方に移動するのを防ぐことができ、安全性を確保できる。
【００４４】
使用者が鏡７を手前に引き寄せて使用したい場合には、取っ手部１３ｄを持って、図６（ｂ）で時計針の回転方向に回す。すると、Ｌ字型金具１３ｃから係合部材１３ｅの係合を外すことができる。そして、枠部材５を手前に引けば、枠部材５、鏡７及び照明器具４は、リンク部材８により枠部材５が図６（ａ）に示すように、矢印ｇ方向に回動することにより、実線で示す収納部２の手前側下方に移動することができる。枠部材５、鏡７及び照明器具４は、リンク部材８がストッパ２１に当接する位置で停止する。
【００４５】
そして、枠部材５、鏡７及び照明器具４を、図６（ａ）の実線に示す位置から、点線に示す収納部２に隣接する元の位置に戻す場合は、枠部材５を洗面室等の取付壁１５側に押すことにより、枠部材５、鏡７及び照明器具４を、リンク部材８により枠部材５が図６（ａ）の反時計方向に回動し、点線に示す収納部２に隣接する元の位置に戻すことができる。このようにして、鏡扉３を昇降させることができる。
【００４６】
本実施例のミラーキャビネット１によれば、鏡扉３が昇降機能を有し、収納部２の手前側下方に移動するので、洗面化粧台等の奥に設置されたミラーキャビネット１の手前に洗面台（水栓）が設置されている場合でも、その水栓を超えて奥から手前に鏡７を移動させる（引き出す）ことができる。このため、使用者は座った状態でも、手前側下方に移動させた鏡７の位置と、座った状態における顔の位置とを合わせることができ、顔全体を鏡７に映すことができる。
【００４７】
さらには、手前に鏡扉３を移動させるので、使用者の顔等の細部まで鏡７に映すことができる。なお、鏡扉３が収納部２の開口部２ａを覆った状態（鏡扉３を収納部２の手前側下方に移動させていない状態）では、使用者は、立ったまま顔や姿等の全体像を鏡７に映すことができる。このように、使用者の使用状況に対応して鏡７の位置を移動できるため使い勝手がよい。
【００４８】
また、照明器具４が鏡扉３と共に連動して昇降できるため、鏡扉３を収納部２の手前側下方に移動させた状態においても、照明器具４により使用者の顔等を鏡７に明るく映すことができ、使用者は鏡７が見やすい。
【００４９】
さらに、鏡扉３が収納部２の開口部２ａを覆った状態でも、鏡扉３を収納部２の手前側下方に移動させた状態でも、鏡７を開閉することができる。このため、使用者は、立った状態においても座った状態においても、鏡７を開閉して、収納部２内から収納物を容易に取り出すことができ、利便性が向上する。
【実施例２】
【００５０】
図７（ａ）（ｂ）はそれぞれ、本発明の実施例２に係るミラーキャビネット３１の正面図と、側面図である。また、図８（ａ）は、ミラーキャビネット３１の平面図である。実施例２のミラーキャビネット３１は、実施例１のミラーキャビネット１の両側方に、収納部３２と収納部３２を覆う側方鏡扉３３とが備えられて構成されている。このため、実施例２では、実施例１と同様の構成部分には、同一の符号を付して説明を省略する。
【００５１】
ミラーキャビネット３１は、収納部２、３２を、鏡扉３と鏡扉３の側方に隣接する側方鏡扉３３とで覆っている。要するに、実施例１のミラーキャビネット１と同様に収納部２を鏡扉３で覆う一方、収納部２の両側方に隣接して設けられる収納部３２を、それぞれ２組の側方鏡扉３３で覆っている。鏡扉３は、実施例１で述べたように開閉可能に構成されている。そして、側方鏡扉３３も、開閉可能に構成されている。
【００５２】
図８（ａ）（ｂ）を用いて、ミラーキャビネット３１の側方鏡扉３３が開閉される構成について説明する。図８（ａ）には、２組の側方鏡扉３３のうち一方（図８（ａ）紙面向かって左側）の側方鏡扉３３が開かれた状態のミラーキャビネット３１の平面図が示されている。また、図８（ｂ）は、１組（図８（ａ）紙面向かって右側）の側方鏡扉３３の模式的な斜視図である。図８（ｂ）には、開かれた状態の側方鏡扉３３が示されている。
【００５３】
２組のうち夫々の側方鏡扉３３は、収納部３２にヒンジ３８を介して取り付けられた側方枠部材３５と、側方枠部材３５にヒンジ３６を介して取り付けられた側方鏡３７と、から成る。側方枠部材３５は、図８（ｂ）に示されるように、例えば、側方端が開放されたコの字状に形成されている。収納部３２は、収納部２と同様に開口部３２ａを有し、開口部３２ａの周囲には、収納部３２の周縁部３２ｃが形成されている。
【００５４】
この周縁部３２ｃに側方枠部材３５がヒンジ３８を介して取り付けられている。そして、側方枠部材３５にヒンジ３６を介して取り付けられた側方鏡３７は、ヒンジ３６により中央の鏡扉３側へ開閉可能に構成されている。要するに、側方枠部材３５に対して側方鏡３７を開けた場合、側方鏡３７は、中央の鏡扉３側へ開閉する内開きとなるように構成されている。このため、内開きとなる側方鏡３７は、中央の鏡７とで合わせ鏡として利用することができる。
【００５５】
一方、側方枠部材３５は、ヒンジ３８により収納部３２に対して、中央の鏡扉３側と反対側へ開閉可能に形成されている。要するに、側方枠部材３５は、中央の鏡扉３側と反対側へ開閉する外開きとなるように構成されている。
【００５６】
したがって、側方鏡３７は、ヒンジ３６により中央の鏡扉３側へ開閉することができる（内開き）と共に、側方枠部材３５を介してヒンジ３８により、中央の鏡扉３側と反対側へ開閉することができる（外開き）、両開きの機能を有している。これにより、従来は、側方鏡３７と中央の鏡７とで合わせ鏡となるように、側方鏡３７が内開きに形成されることが多く、収納部３２から収納物を取り出しにくい場合があったことと比べて、利便性を向上させることができる。
【００５７】
このような構造の側方鏡扉３３は、ヒンジ３６及びヒンジ３８により側方鏡３７と側方枠部材３５との両方を同時に開くことで、側方鏡３７を収納部３２の手前側へ移動させる（前方に出させる）ことができる。
【００５８】
収納部３２の手前側へ側方鏡３７を移動させると共に、実施例１と同様にして収納部２の手前側下方に鏡扉３の鏡７を移動させることにより、側方鏡３７及び鏡７を前方に出させた状態で、両者により合わせ鏡を作ることができる。よって、本実施例のミラーキャビネット３１では、使用者がいる位置により近い場所で、合わせ鏡として利用することができる。
【００５９】
また、側方鏡扉３３においても、鏡扉３で述べた効果と同様に、側方鏡扉３３が収納部３２の開口部３２ａを覆った状態でも、側方鏡扉３３を収納部３２の手前側に移動させた状態でも、側方鏡３７を開閉することができる。このため、使用者は、いずれの状態においても側方鏡３７を開閉して、収納部３２内から収納物を容易に取り出すことができ、利便性が高められる。
【００６０】
また、使用者の使用状況に対応して、側方鏡３７の位置を移動できるため使い勝手がよい。その他、実施例２においても、実施例１で述べたのと同様の効果を得ることが出来る。
【００６１】
なお、本実施例では、側方鏡３７は、中央の鏡扉３側へ開閉することができる（内開き）と共に、側方枠部材３５を介して中央の鏡扉３側と反対側へ開閉することができる（外開き）、両開きの機能を有する。一方、側方枠部材３５を設けずに、側方鏡３７を収納部３２にヒンジを介して直接取り付けることも考えられる。この場合においても、側方鏡３７を、中央の鏡扉３側へ開閉することができるように（内開きとなるように）構成する。これにより、側方鏡３７を開けたときに、中央の鏡７とで合わせ鏡となるようにすることができる。
【００６２】
以上、本発明に係るミラーキャビネットの最良の形態を実施例に基づいて説明したが、本発明は特にこのような実施例に限定されることなく、特許請求の範囲記載の技術的事項の範囲内でいろいろな実施例があることはいうまでもない。
【産業上の利用可能性】
【００６３】
本発明の活用例として、洗面室等の洗面化粧台に設置する他、浴室内に設置してもよい。
【図面の簡単な説明】
【００６４】
【図１】図１（ａ）、（ｂ）は、それぞれ本発明の実施例１に係るミラーキャビネットの正面図と、側面図である。
【図２】鏡扉を開いた状態における実施例１のミラーキャビネットの模式的な斜視図を示す図である。
【図３】図３（ａ）は、実施例１の台座の正面図、平面図、側面図であり、図３（ｂ）は、台座の斜視図である。
【図４】図４（ａ）は、実施例１の台座をキャビネットの収納部に取り付けた状態であり、図４（ｂ）、（ｃ）は台座にリンク部材を介して鏡の枠部材が取り付けられた構造を示す正面図、側面図である。
【図５】実施例１の台座にリンク機構を介して鏡の枠部材が取り付けられた、鏡扉の昇降機構を示す図である。
【図６】図６（ａ）は鏡扉が収納部の手前側下方に移動している状態を示すミラーキャビネットの側面図であり、図６（ｂ）鏡扉のロック機構を示す図である。
【図７】図５（ａ）、（ｂ）はそれぞれ、本発明の実施例２に係るミラーキャビネットの正面図と、側面図である。
【図８】図８（ａ）は、実施例２に係るミラーキャビネットの平面図であり、図８（ｂ）は、開かれた状態の側方鏡扉を示す模式的な斜視図である。
【図９】図９（ａ）は、本発明の実施例１の台座の変形例の正面図、平面図、側面図であり、図３（ｂ）は、台座の斜視図である。
【符号の説明】
【００６５】
１、３１    ミラーキャビネット
２、３２    収納部
２ａ、３２ａ    開口部
２ｂ  収納部左右両側内面
２ｃ、３２ｃ    周縁部
３、３５    鏡扉
４    照明器具
５    枠部材
５ａ    上部
６、３６、３８    ヒンジ
７    鏡
８    リンク部材
８ａ  一端
８ｂ  他端
９、９’リベット
１０  ダンパ
１１、２２  台座
１２  補強部材
１３    レバーラッチ
１３ａ    凹部
１３ｂ    バネ
１３ｃ    Ｌ字型金具
１３ｄ    取っ手部
１３ｅ    係合部材
１４  固定枠
１４ａ  左右側部
１４ｂ  上下部
１５    取付壁
１６  左右折返片
１７  下端折返片
１８  固定片
１９  収納部の背面壁
２０  渦巻きバネ
２１  ストッパ
２３  ネジ
３３  側方鏡扉
３５  側方枠部材
３７  側方鏡
【図１】
2005279021.tif 000003
【図２】
2005279021.tif 000004
【図３】
2005279021.tif 000005
【図４】
2005279021.tif 000006
【図５】
2005279021.tif 000007
【図６】
2005279021.tif 000008
【図７】
2005279021.tif 000009
【図８】
2005279021.tif 000010
【図９】
2005279021.tif 000011